(57)【要約】部屋に人がいるように見せかけるシステムであって、前記システムは、サウンドおよび／または画像情報を再生する第１の再生手段（１１）と、起動信号（AS）を繰り返し生成する起動信号生成手段（５２）と、前記起動信号（AS）の発生に基づき前記第１の再生手段（１１）を自動的に繰り返し起動する起動手段（５３）とを有し、前記第１の再生手段（１１）の起動後、サウンドおよび／または画像情報を送信可能であり、送信可能なサウンドおよび／または画像情報により部屋に人がいるように見せかけることができ、前記システムは、少なくとも前記第１の再生手段（１１）の動作のスタンバイモードを起動・停止するスタンバイ手段（１８）と、前記システムの少なくとも前記第１の再生手段（１１）の動作をシミュレーションモードとエンターテイメントモードの間で切り替える切り替え手段とをさらに有し、前記シミュレーションモードでは部屋に人がいるように見せかけることができ、前記エンターテイメントモードではユーザが少なくとも前記第１の再生手段（１１）の動作を前記スタンバイモードと前記エンターテイメントモードの間で切り替えることができることを特徴とする。
2006517318.tif 000002
【特許請求の範囲】
【請求項１】
部屋に人がいるように見せかけるシステムであって、
前記システムは、サウンドおよび／または画像情報を再生する第１の再生手段と、
起動信号を繰り返し生成する起動信号生成手段と、
前記起動信号の発生に基づき前記第１の再生手段を自動的に繰り返し起動する起動手段とを有し、
前記第１の再生手段の起動後、サウンドおよび／または画像情報を送信可能であり、送信可能なサウンドおよび／または画像情報により部屋に人がいるように見せかけることができ、
前記システムは、少なくとも前記第１の再生手段の動作のスタンバイモードを起動・停止するスタンバイ手段と、
前記システムの少なくとも前記第１の再生手段の動作をシミュレーションモードとエンターテイメントモードの間で切り替える切り替え手段とをさらに有し、
前記シミュレーションモードでは部屋に人がいるように見せかけることができ、前記エンターテイメントモードではユーザが少なくとも前記第１の再生手段の動作を前記スタンバイモードと前記エンターテイメントモードの間で切り替えることができることを特徴とするシステム。
【請求項２】
請求項１に記載のシステムであって、
遅延手段をさらに有し、
前記遅延手段により前記第１の再生手段の起動をランダムに遅延させることができることを特徴とするシステム
【請求項３】
請求項１または２に記載のシステムであって、
サウンドおよび／または画像情報プログラムを選択するプログラム選択制御手段をさらに有し、
前記サウンドおよび／または画像情報プログラムは前記第１の再生手段により再生可能であることを特徴とするシステム。
【請求項４】
請求項１ないし３いずれか一項に記載のシステムであって、
前記第１の再生手段はデータ担体からサウンドおよび／または画像情報を再生するように設計され、
前記データ担体上にはサウンドおよび／または画像情報が光学的に読み取り可能なように格納されていることを特徴とするシステム。
【請求項５】
請求項４に記載のシステムであって、
人がいるときに典型的に生じる音が前記データ担体に格納されていることを特徴とするシステム。
【請求項６】
請求項３ないし５いずれか一項に記載のシステムであって、
サウンドおよび／または画像情報を再生する第２の再生手段を有し、
前記起動手段は前記プログラム選択制御手段の支援によっても前記第１の再生手段により再生可能なサウンドおよび／または画像情報を選択できない時、前記第２の再生手段を起動するように設計されていることを特徴とするシステム。
【請求項７】
請求項６に記載のシステムであって、
前記第２の再生手段は、送信局により送信されたサウンドおよび／または画像情報を再生するように設計されていることを特徴とするシステム。
【請求項８】
請求項３ないし７いずれか一項に記載のシステムであって、
前記スタンバイ手段を制御する制御手段を有し、
前記制御手段の支援により、前記スタンバイモードを前記スタンバイ手段により起動し、前記サウンドおよび／または画像情報を再生することを特徴とするシステム。
【請求項９】
請求項１ないし８いずれか一項に記載のシステムであって、
前記システムはオーディオステレオシステムとして設計されていることを特徴とするシステム。
【請求項１０】
部屋に人がいるように見せかける方法であって、
前記方法は、第１の再生手段によりサウンドおよび／または画像情報を再生するステップと、
起動信号を繰り返し生成するステップと、
前記起動信号の発生に基づき前記第１の再生手段を自動的に繰り返し起動するステップとを有し、
前記第１の再生手段の起動後、サウンドおよび／または画像情報を送信可能であり、送信可能なサウンドおよび／または画像情報により部屋に人がいるように見せかけることができ、
前記方法は、少なくとも前記第１の再生手段の動作のスタンバイモードを起動・停止するステップと、
前記システムの少なくとも前記第１の再生手段の動作をシミュレーションモードとエンターテイメントモードの間で切り替えるステップとをさらに有し、
前記シミュレーションモードでは部屋に人がいるように見せかけることができ、前記エンターテイメントモードではユーザが少なくとも前記再生手段の動作を前記スタンバイモードと前記エンターテイメントモードの間で切り替えることができることを特徴とする方法。
【請求項１１】
請求項１０に記載の方法であって、
サウンドおよび／または画像情報プログラムを選択するステップをさらに有し、
前記選択されたサウンドおよび／または画像情報プログラムは前記第１の再生手段により再生されることを特徴とする方法。
【請求項１２】
請求項１０または１１に記載の方法であって、
前記第１の再生手段はデータ担体からサウンドおよび／または画像情報を再生するために使用され、
前記サウンドおよび／または画像情報は前記データ担体上に光学的に読み出し可能に格納されていることを特徴とする方法。
【請求項１３】
請求項１０ないし１２いずれか一項に記載の方法であって、
前記第１の再生手段が再生するサウンドおよび／または画像情報を選択できない時、前記第２の再生手段が起動されることを特徴とする方法。
【発明の詳細な説明】
【発明の詳細な説明】
【０００１】
本発明は、部屋に人がいるように見せかけるシステムに関する。そのシステムは以下の手段を有する。すなわち、サウンドおよび／または画像情報を再生する第１の再生手段と、起動信号を繰り返し生成する起動信号生成手段と、起動信号の発生の関数として第１の再生手段を自動的に繰り返し起動する起動手段とを有し、第１の再生手段の起動後にサウンドおよび／または画像情報を送信し、その送信可能なサウンドおよび／または画像情報によって部屋に人がいるように見せかける。
【０００２】
本発明は、部屋に人がいるように見せかける方法にも関する。その方法では以下のステップが実行される。すなわち、第１の再生手段によりサウンドおよび／または画像情報を再生するステップと、起動信号を繰り返し生成するステップと、起動信号の発生の関数として第１の再生手段を自動的に繰り返し起動するステップとを有し、第１の再生手段の起動後にサウンドおよび／または画像情報を送信し、その送信可能なサウンドおよび／または画像情報によって部屋に人がいるように見せかける。
【０００３】
上記のシステムおよび方法は米国特許文献第5,258,656号で知られている。この文献には、起動信号を繰り返し生成する起動信号生成手段として設計された電子時間制御デバイスが開示されている。その起動信号を用いて、外部の（電気的）再生デバイス（この時間制御デバイスに接続される）への電力の供給を、起動手段を介して制御する。すなわち、再生デバイスの自動再起動が可能となる。このような起動の場合、具体的には、部屋に人がいるところをシミュレーションまたは偽装したり、部屋（例えば、アパートや一戸建て等）が占有されていることをシミュレーションしたりするために、サウンドおよび／または画像情報を再生デバイスにより送信することが可能である。この種のシミュレーションは、抑止力として使用され、部屋や家屋が使用されていなかったり占有されていなかったりしたときに、権限のない者（窃盗者や破壊者等）が犯意を持ってその部屋や家屋にアクセスするリスクをできるだけ小さくするためのものである。外部に接続可能なデバイスの例としては、ステレオシステムやテレビがある。ラジオやテレビをこのように制御する際に問題となるのは、電源のスイッチがオンになるとすぐに再生モードになりサウンドや画像が出力されるようなラジオやテレビしか制御できないということである。しかし、より進歩したラジオやテレビの場合、いわゆるスタンバイモードを有しているため、上記のようにはならなない。これは欠点である。この種のラジオやテレビでは、電源スイッチがオンになるとスタンバイモードに入るだけである。スタンバイモードから再生モードに移行するためには、例えば、リモートコントロールユニットによる再生モードの起動等のユーザによる介在が必要である。
【０００４】
既知のシステムが有する別の欠点は、スタンバイモードを有する上記のデバイスの場合、現在時刻の設定およびプリセットは、不揮発性の記憶手段がない場合、電源が切れると失われてしまうことである。これは、市販されているこの種の再生デバイスの比較的多数に当てはまる。例えば、アラーム機能を有するラジオの場合、電源が切れるとアラーム時間がリセットされてしまう。これは面倒であり、それ故欠点である。
本発明の目的は、上記欠点を克服し、改良したシステムと方法を提供することである。
【０００５】
上記目的を達成するために、本発明によるシステムは本発明による特徴を有し、以下のように特徴づけることができる。すなわち、部屋に人がいるように見せかけるシステムであって、前記システムは、サウンドおよび／または画像情報を再生する第１の再生手段と、起動信号を繰り返し生成する起動信号生成手段と、前記起動信号の発生に基づき前記第１の再生手段を自動的に繰り返し起動する起動手段とを有し、前記第１の再生手段の起動後、サウンドおよび／または画像情報を発することができ、送信可能なサウンドおよび／または画像情報により部屋に人がいるように見せかけることができ、前記システムは、少なくとも前記第１の再生手段の動作のスタンバイモードを起動・停止するスタンバイ手段と、前記システムの少なくとも前記第１の再生手段の動作をシミュレーションモードとエンターテイメントモードの間で切り替える切り替え手段とをさらに有し、前記シミュレーションモードでは部屋に人がいるように見せかけることができ、前記エンターテイメントモードではユーザが少なくとも前記再生手段の動作を前記スタンバイモードと前記エンターテイメントモードの間で切り替えることができることを特徴とする。
【０００６】
上記目的を達成するために、本発明による方法は本発明による特徴を有し、以下のように特徴づけることができる。すなわち、部屋に人がいるように見せかける方法であって、前記方法は、第１の再生手段によりサウンドおよび／または画像情報を再生するステップと、起動信号を繰り返し生成するステップと、前記起動信号の発生に基づき前記第１の再生手段を自動的に繰り返し起動するステップとを有し、前記第１の再生手段の起動後、サウンドおよび／または画像情報を発することができ、発することができるサウンドおよび／または画像情報により部屋に人がいるように見せかけることができ、前記方法は、少なくとも前記第１の再生手段の動作のスタンバイモードを起動・停止するステップと、前記システムの少なくとも前記第１の再生手段の動作をシミュレーションモードとエンターテイメントモードの間で切り替えるステップとをさらに有し、前記シミュレーションモードでは部屋に人がいるように見せかけることができ、前記エンターテイメントモードではユーザが少なくとも前記再生手段の動作を前記スタンバイモードと前記エンターテイメントモードの間で切り替えることができることを特徴とする。
【０００７】
本発明による特徴を提供することにより、非常に簡単に、単純な手段を用いて、システムおよび方法を改良することができる。有利な点の１つは、上記システムをエンターテイメントモードで使用することができ、スタンバイモードの長所を活用し、部屋に人がいるように見せかけるためにシミュレーションモードにスイッチすることもできることである。このようなシミュレーションの場合、サウンドおよび／または画像情報を再生するために、所定の時間プログラム内で第１の再生手段を起動することができる。そのサウンド情報またはサウンドおよび画像情報により、部屋に人がいたり、部屋が占有されているように見せかけたりすることができ、その結果、潜在的な窃盗者がその部屋やその他の部屋に侵入することを防ぐことができる。
【０００８】
本発明によるシステムにおいて、請求項２に記載の特徴を備えた時、特に有利であることが分かっている。これらの手段は、それ自体は既知であるが、本発明によるシステムに関して有利である。というのは、結果として、本発明によるシステムを用いて、部屋に人がいると見せかけることがより現実的で、第三者が信用し易くできるからである。
【０００９】
本発明によるシステムまたは方法において、請求項３または１１に記載の特徴を備えた時、特に有利であることが分かっている。これは、部屋に人がいるように見せかけるために、サウンド情報またはサウンドおよび画像情報を簡単に生成できる点で、特に有利である。というのは、特に現実的で、第三者が信用し易いシミュレーションが可能となるからである。
【００１０】
第１の再生手段は、磁気テープに記録されたサウンドおよび／または画像情報を再生するように設計されてもよい。本発明によるシステムまたは方法において、請求項４または１２および請求項５に記載の特徴を備える時、特に有利であることが分かっている。結果として、部屋に人がいるように特に簡単に見せかけることができる。
【００１１】
本発明によるシステムまたは方法において、請求項６または１３に記載の特徴を備える時、非常に有利であることが分かっている。この特徴により、第１の再生手段が故障した場合でも、部屋に人がいるように見せかけることができることが保証される。
【００１２】
本発明の上記その他の態様は、実施形態に関する以下の説明で明らかになり、その実施形態に基づき説明する。
【００１３】
本発明はさらに添付した図面に示した実施形態を参照して説明されるが、本発明はこれらの実施形態に限定されるものではない。
【００１４】
図１は、部屋に人がいるところをシミュレーションするシステム１を示す。該システム１はオーディオステレオシステム１０により形成されている。以下、短くオーディオシステム１０と呼ぶ。該オーディオシステム１０は第１の再生手段１１を有する。その第１の再生手段は、CDモジュール１２と呼ばれるものにより形成されている。CDモジュール１２は、デジタル的に記憶された情報またはデータを再生するために備えられ、設計されている。そのデジタル的に記憶された情報はデータ担体に格納され、光学的にそのデータ担体から読み出すことができる。光学的に読み出し可能なデータ担体は、この場合オーディオコンパクトディスク（オーディオCD）により形成されている。デジタル的に記憶された情報は、そのデータ担体のトラックにCD規格（「レッドブック」）に従って格納されており、この場合サウンド情報である。付言すると、CDはCD-RやCD-RW等であってもよい。さらに付言すると、第１の再生手段１１はDVDモジュールにより形成されていてもよく、データ担体はDVDで形成されていてもよい。DVDにはサウンドおよび／または画像情報を格納することができる。
【００１５】
オーディオシステム１０は中央制御部であるCPU５０をさらに有する。このCPU５０はマイクロプロセッサとして設計されており、不揮発メモリであるROM２０と揮発性メモリであるRAM２１に接続されている。ROM２０とRAM２１は既知の目的のために備えられ、設計されている。
【００１６】
オーディオシステム１０はさらに入力手段１３を有する。その入力手段１３は手動操作可能なキーを有し、オーディオシステム１０の筐体壁に取り付けられている。また、入力手段１３はCPU５０に接続されており、オーディオシステム１０のユーザが制御情報を入力できるように設計されている。付言すると、上記の入力手段１３は多機能リモートコントロールユニット、音声コントロールユニット、またはパーソナルコンピュータ（PC）で形成されていてもよい。
【００１７】
オーディオシステム１０はリモートコントロールセンサ１４も有している。このリモートコントロールセンサ１４は、CPU５０に接続されており、RC6標準規格に従って赤外線のリモートコントロール信号を受信するように設計されている。オーディオシステム１０は、テキストや画像の情報を表示する表示手段１５をさらに有する。この場合、表示手段１５はLCDドットマトリックスディスプレイにより形成されており、オーディオシステム１０の筐体壁に視認可能に取り付けられている。付言すると、上記表示手段１５はVFDディスプレイその他のディスプレイで形成されていてもよい。
【００１８】
オーディオシステム１０は第２の再生手段１６をさらに有し、それはCPU５０に接続され、チューナモジュール１７により形成されている。そのチューナモジュール１７はラジオ番組のサウンドや画像情報を様々なラジオ局（すなわち送信局）から受信するように設計されている。付言すると、第２の再生手段１６はインターネットオーディオモジュールにより形成されていてもよい。インターネットオーディオモジュールはデータネットワークを介して送信されたラジオ番組のサウンドや画像の情報を再生するように設計されている。第２の再生手段１６はいわゆるテープモジュールにより形成されていてもよい。テープモジュールはカセットに収納された磁気テープとの間で記録再生を行うように設計されている。
【００１９】
オーディオシステム１０は増幅モジュール３０も有する。その増幅モジュールはCPU５０に接続され、アナログオーディオ信号を増幅するように設計されている。増幅されたアナログオーディオ信号はアンプ出力３１に送られる。アンプ出力３１にはラウドスピーカ３２の形式のオーディオ再生手段が接続されている。このラウドスピーカ３２は増幅されたアナログオーディオ信号を再生するために備えられている。この場合、CDモジュール１２とチューナモジュール１７はサウンド情報を送信するように設計されている。そのサウンド情報はアナログオーディオ信号として増幅モジュール３０に送信される。さらにまた、オーディオシステム１０は、電源モジュール１９の支援を受ける形式であるスタンバイ手段１８を有する。スタンバイ手段１８および電源モジュール１９はオーディオシステム１０の動作のスタンバイモードを起動・停止するように設計されている。
【００２０】
CPU５０は切り替え手段５１と、タイマー５２により形成された起動信号生成手段５２とを有する。この起動信号生成手段５２は起動信号ASを自動的に繰り返し生成するように設計されている。CPU５０は起動手段５３と、CDモジュール制御手段５５と、チューナモジュール制御手段５６とをさらに有する。これらの手段５１、５２、５３、５５、５６は、図２と３を参照してさらに詳しく説明する。
【００２１】
起動手段５３は時間プログラム監視手段５７を有する。この時間プログラム監視手段５７には起動信号ASが供給される。起動手段５３は遅延手段５８をさらに有する。この遅延手段５８は時間プログラム監視手段５７の下に接続されており、起動信号ASをランダムに遅延させてプログラム選択制御手段５４に送信するように設計されている。
【００２２】
切り替え手段５１はオーディオシステム１０の動作をシミュレーションモードとエンターテイメントモードの間で切り替えるように設計されている。この場合、この切り替えは入力手段１３のスイッチキー１３ａを用いて実行することができる。この場合、動作のエンターテイメントモードは、オーディオシステム１０がユーザのアパートの居間に設置されている場合に、そのユーザがCDモジュール１２を用いて好みのCDを再生して楽しむために所望するものである。付言すると、この種のエンターテイメントモードはサウンド情報の記録や所望のサウンド情報の検索を意味すると解釈してもよい。
【００２３】
便宜上、オーディオシステム１０はリモートコントロールユニット（図示せず）により制御されるものとする。オーディオシステム１０はこの場合、有利にも省エネルギースタンバイモードを有する。
【００２４】
ユーザは、例えば休暇や旅行期間中に比較的長い期間にわたって自分のアパートを留守にし、その結果アパートには誰もいない状態になるとき、有利にも、オーディオシステム１０をシミュレーションモードにすることができる。このように誰もいないアパートは、残念ながら窃盗者が犯意を持ってアクセスする格好の標的となってしまうことが多い。オーディオシステム１０をシミュレーションモードにしておけば、サウンド情報を発することによりアパートに人がいるように見せかけることができ、その結果アパートに侵入されるリスクを最小化することができる。
【００２５】
図２と３はシミュレーションモードのシーケンスを示す。このシーケンスはオーディオシステム１０とCPU５０を用いて例示されている。スイッチキー１３ａが操作されると、切り替え手段５１はオーディオシステム１０をシミュレーションモードに切り替える。タイマー５２（起動信号生成手段５２）によりタイマールーチンが起動されると、その結果、時間プログラム監視手段５２においてシーケンスが開始ブロック２００で始まる。開始ブロック２００に続いて、判断ブロック２０５で、オーディオシステム１０がスタンバイモードであるかどうかの判断が行われる。オーディオシステム１０がスタンバイモードであるとき、シーケンスは判断ブロック２１５にブランチし、さもなければブロック２１０に進む。
【００２６】
時分の形式である時間情報がタイマー５２により起動信号ASとして送信される。判断ブロック２１５で、タイマー５２により送信された時間情報が時間ウィンドウに入るかどうかをチェックする。この場合、時間ウィンドウは9時00分（9:00）から22時00分（22:00）までであると事前に決められている。付言すると、別の時間ウィンドウを事前に決めてもよく、例えば7:00から23:00まで、18:00から22:00までなどとしてもよい。これらの時間ウィンドウはユーザにより選択または設定される。
【００２７】
判断ブロック２１５の判断に応じて、タイマー５２により送信された時間情報が時間ウィンドウに入っているとき、起動信号ASが遅延手段５８に送信され、シーケンスは判断ブロック２２０に進み、さもなければブロック２１０に進む。ブロック２１０において、タイマー５２はリセットされリスタートされる。この場合、タイマー５２は2分に設定される。すなわち、2分経過後にタイマールーチンが再度スタートし、シーケンスがブロック２００から再開される。付言すれば、タイマーは、例えば6時間とか1日など他の時間に設定してもよい。
【００２８】
プログラム選択制御手段５４への起動信号ASの送信は、遅延手段５８によりランダムに遅延される。この遅延は、乱数生成手段（これ以上詳細には示さない）により生成された乱数に基づき、判断ブロック２２０で、起動信号ASをプログラム選択制御手段５４にアラーム信号WSとして転送するかどうかを判断することにより実行する。判断ブロック２２０が肯定「Y」であった場合、シーケンスはブロック２２５に進む。否定「N」であった場合、シーケンスはブロック２１０に進む。
【００２９】
ブロック２２５において、スタンバイ手段１８はオーディオシステム１０を起動し、起動後はCDモジュール１２によるサウンド情報の再生が可能となる。ブロック２２５の後、プログラム選択制御手段５４とCDモジュール制御手段５５の支援により、判断ブロック２３０でCDモジュール１２に再生用のCDが入っているかどうかの判断が行われる。CDが入っていれば、シーケンスはブロック２３５に進み、そのブロック２３５ではプログラム選択制御手段５４がCDに含まれる一連のトラックを選択または生成する。この場合、CDは５つの異なるトラックを含み、各トラックにはアパートに人がいることを示す異なったサウンド情報が含まれている。サウンド情報は、例えば、台所の音（ハンドミキサーの音、お皿がぶつかり合う音など）、部屋を掃除する音、会話などである。一実施例において、トラックはランダムに選択される。しかし、トラックの順番はあらかじめ決められていてもよい。
【００３０】
ブロック２３５に続き、ブロック２４０において、プログラム選択制御手段５４は選択されたトラックから再生プログラムを生成する。この場合、CDの１つのトラック（トラック４）だけを用いた再生プログラムが生成される。シーケンスはブロック２４５に進み、CDモジュール制御手段５５はCDモジュール１２に再生プログラムを送信する。CDモジュール１２は再生プログラムのトラックの再生を開始し、シーケンスはブロック２５０に進む。ブロック２５０において、プログラム選択制御手段５４はCDモジュール１２による再生プログラムのトラックの再生が終了したかどうかをチェックする。再生プログラムのすべてのトラックが再生されると、シーケンスはブロック２５５に進む。さもなければ、シーケンスはブロック２４５に進み、再生プログラムの後続トラックが再生される。
【００３１】
判断ブロック２３０における判断で、CDモジュール１２にCDが入っていないと確認されたとき、シーケンスはブロック３０５に進む。このブロック３０５は図３に描かれており、接続点Aを介して図２のシーケンスと接続されている。以下に説明する図３のシーケンスは、例えば、上記のCDをCDモジュール１２に入れ忘れて、CDモジュール１２がそのCDを再生できないときに、部屋に人がいるように思わせるための１つの方法を示している。付言すると、ブロック２３０の判断において、CDモジュール１２中にあるCDを再生可能か否か判断してもよい。
【００３２】
ブロック３０５において、プログラム選択制御手段５４は第２の再生手段１６すなわちチューナモジュールを起動し、CDモジュール１２を停止する。さらにまた、連続カウント変数PASの値をゼロに設定する。ブロック３０５の後、シーケンスは判断ブロック３１０でブランチし、具体的には、連続カウント変数PASの値が1000よりも大きければブロック３２０に進み、前記条件が満たされなければブロック３１５に進む。ブロック３１５において、チューナモジュール１７の周波数プリセットが選択され、選択周波数AFを与える。そして、ブロック３２５で連続カウント変数PASの値が1増やされる。それ故、判断ブロック３３０において、選択周波数AFがチューナモジュール１７の有効周波数に一致するかどうかチェックする。一致すれば、シーケンスはブロック３３５に進む。さもなければ、シーケンスはブロック３１０に進み、チューナモジュール１７の周波数プリセットが新たに選択される。
【００３３】
ブロック３３５において、再生時間が特定され、その時間中、チューナモジュール１７は部屋に人がいるように思わせるためにサウンド情報を再生する。この場合、再生時間は２分から１５分の間でランダムに選択され、シーケンスはブロック３４０に進み、チューナタイマーがスタートする。
【００３４】
判断ブロック３１０で連続カウント変数PASの値が1000よりも大きい場合、ブロック３２０で、ユーザにより最も新しく選択周波数AFとして決定されたチューナモジュール１７の周波数を設定する。
【００３５】
ブロック３４０またはブロック３２０の後に、ブロック３４５で、チューナモジュール制御手段５６は選択周波数AFをチューナモジュール１７に送り、サウンド情報を送信するためにチューナモジュール１７を起動する。シーケンスは判断ブロック３５０に進み、スタートしたチューナタイマーは再生時間がすでに経過したかどうかを継続的にチェックする。経過している場合、図３の接続ポイントBにより示したように、シーケンスはブロック２５５に進む。
【００３６】
ブロック２５５において、この場合、電源モジュール１９はオーディオシステム１０を省エネルギーモードに切り替え、ブロック２１０に進み、タイマー５２をリスタートさせる。
【図面の簡単な説明】
【００３７】
【図１】本発明によるシステムを示すブロック図である。
【図２】図１に示したシステムで実施される、本発明による方法を示すフローチャートである。
【図３】図１に示したシステムで実施される、本発明による方法を示すフローチャートである。
【図１】
2006517318.tif 000003
【図２】
2006517318.tif 000004
【図３】
2006517318.tif 000005
【国際調査報告】
2006517318.tif 000006
2006517318.tif 000007